(57)【要約】  本発明は、側方生地との切り離し後の両側縁の処理を要さずに、そのままブラジャーのバック布に好適に使用できる経編レース地を提供するものであり、経編機によって柄糸が編み込まれて編成されたレース地（１）であって、ブラジャーのバック布に応じた単位長さ（L1）毎に、編方向において幅が変化して、最大幅位置（P1）を含む幅広領域の部分（11）と最小幅位置（P2）を含む細幅領域の部分（12）とを連続して形成し、前記最大幅（W1）と最小幅（W2）との比（W1／W2）を１．５〜１０とし、幅広領域部分（11）をブラジャーのバック布における脇部として、細幅領域部分（12）を脇部から連続する背部として形成する。
2007122673.tif 000002
【特許請求の範囲】
【請求項１】
経編編成され、柄糸が所定のパターンで編み込まれるとともに、側方生地と切り離された両側縁が処理不要に形成された、ブラジャーに使用される経編レース地であって、
ブラジャーのバック布に応じた単位長さ毎に、編方向において幅が変化して、編方向の一端側の領域が最大幅位置を含む幅広領域部分として、また他端側の領域が最小幅位置を含む細幅領域部分として連続して形成され、前記最大幅（Ｗ１）と最小幅（Ｗ２）との比（Ｗ１／Ｗ２）が１．５〜１０であり、前記幅広領域部分が前記バック布における脇部として、前記細幅領域部分がバック布における背部として形成されてなることを特徴とするブラジャー用経編レース地。
【請求項２】
ブラジャーのカップ部とこれに連続するバック布を合わせた長さに対応する単位長さ毎に、編方向において幅が変化して、編方向一端側の前記幅広領域部分と、他端側の細幅領域部分とが連続して形成されるとともに、前記幅広領域部分は、前記ブラジャーのカップ部に相当する部分とこれに連続するバック布の脇部に相当する部分を形成するように編成されてなる請求項１に記載のブラジャー用経編レース地。
【請求項３】
前記細幅領域部分の最小幅（Ｗ２）が、２０ｍｍ以上、１００ｍｍ以下である請求項１又は２に記載のブラジャー用経編レース地。
【請求項４】
編地全体に伸縮性糸が配されて伸縮性が付与された経編レース地であって、伸縮性糸による特性を変化させることにより、部分的に伸縮性が変化せしめられてなる請求項１又は２に記載のブラジャー用経編レース地。
【請求項５】
編地全体に伸縮性糸が配されて伸縮性が付与された経編レース地であって、伸縮性糸による特性を変化させることにより、部分的に伸縮性が変化せしめられてなる請求項３に記載のブラジャー用経編レース地。
【請求項６】
前記両側縁の部分に、縁構成糸の一つとしてほつれ防止糸が編み込まれてなる請求項１又は２に記載のブラジャー用経編レース地。
【請求項７】
前記両側縁の部分に、縁構成糸の一つとしてほつれ防止糸が編み込まれてなる請求項４に記載のブラジャー用経編レース地。
【発明の詳細な説明】
【技術分野】
【０００１】
本発明は、ブラジャーに使用する経編レース地、特にはブラジャーの少なくともバック布にそのまま使用できる経編レース地に関するものである。
【背景技術】
【０００２】
従来より、経編編成されたレース地は、婦人用のブラジャーやショーツやガードル等のファンデーション、あるいはスリップやキャミソール等のランジェリーその他の女性用下着、またはスポーツウエアやアウター等の各種衣料に使用されている。【０００３】
ブラジャーにおいては、主としてカップ部において前記レース地が他の素材と組み合わせて使用されているが、カップ部の両側部から脇部を経て背部に至る所謂バック布においては前記経編レース地は殆ど使用されていない。【０００４】
すなわち、ブラジャーのバック布においては、多くは、機能性を重視して編地等の無地の生地が使用され、必要に応じて、該生地が他の伸縮性生地と組み合わせて使用されているだけであり、装飾性は重視されていない。また、締め付け力を確保するために、上下の縁部等の必要部分に大きな伸縮性（パワー）をもたせた伸縮性経編地を使用することも提案されているが（特許文献１）、やはり無地の編地にすぎず、バック布の装飾効果は殆ど期待できないものである。【０００５】
また、ブラジャーのバック布は、カップ部側を幅広に、背部の端部側を幅狭にして縫製することが多い。そのため、前記の伸縮性経編地を使用する場合、カップ側の幅に合わせて編成しておき、背部側の側縁を裁断し縁処理して縫製するか、あるいは特許文献１のように、背部側にＶ状の切込みを入れておいて縫製するようにしており、バック布にするための縫製加工を必要とする。【０００６】
なお、一部では前記のレース地をバック布の縁飾り等に使用する場合も見られるが、その場合、レース地の少なくとも一方の側縁が裁断されるため、該側縁のほつれ防止などのための処理が必要になり、また他の生地との縫製等の加工も必要になる。
【特許文献１】特開２００２−３３９１１０号公報
【発明の開示】
【発明が解決しようとする課題】
【０００７】
本発明は、上記の問題を解決するためになしたものであり、側方生地との切り離し後の両側縁の処理を要さずに、そのままブラジャーのバック布等に好適に使用できる経編レース地を提供しようとするものである。
【課題を解決するための手段】
【０００８】
上記の課題を解決する本発明のブラジャー用経編レース地は、経編機によって編成され、柄糸が所定のパターンで編み込まれるとともに、側方生地と切り離された両側縁が処理不要に形成された、ブラジャーに使用される経編レース地であって、ブラジャーのバック布に応じた単位長さ毎に、編方向において幅が変化して、編方向の一端側の領域が最大幅位置を含む幅広領域部分として、また他端側の領域が最小幅位置を含む細幅領域部分として連続して形成され、前記最大幅（Ｗ１）と最小幅（Ｗ２）との比（Ｗ１／Ｗ２）が１．５〜１０であり、前記幅広領域部分が前記バック布における脇部として、前記細幅領域部分がバック布における背部として形成されてなることを特徴とする。【０００９】
この経編レース地は、編成後に側方生地と切り離した後、ブラジャーのバック布に応じた単位長さに切断することにより、両側縁においてほつれ防止や縫製等の処理をすることなく、そのまま単独でブラジャーのバック布としてカップ部に接続して使用でき、バック布の装飾効果を高めることができる。【００１０】
また、前記最大幅（Ｗ１）と最小幅（Ｗ２）との比（Ｗ１／Ｗ２）を前記のように設定したことにより、前記幅広領域部分においては前記カップ部と接続あるいは連続形成するのに必要な幅を確保して、しかもバック布の背部になる細幅領域部分の幅を、使用上の強度や体裁を損なわない程度に狭くすることができる。【００１１】
前記のブラジャー用の経編レース地において、ブラジャーのカップ部とこれに連続するバック布を合わせた長さに対応する単位長さ毎に、編方向において幅が変化して、編方向一端側の前記幅広領域部分と、他端側の細幅領域部分とが連続して形成されるとともに、前記幅広領域部分は、前記ブラジャーのカップ部に相当する部分とこれに連続するバック布の脇部に相当する部分を形成するように編成されてなるものとすることができる。これにより、縫製等を要することなく、ブラジャーのカップ部とバック布とを一体に構成でき、さらに高い装飾効果を発揮できる。【００１２】
前記経編レース地は、前記細幅領域部分の最小幅（Ｗ２）が、２０ｍｍ以上、１００ｍｍ以下であるものが、ブラジャー用として特に好適に使用される。【００１３】
前記の経編レース地において、編地全体に伸縮性糸が配されて伸縮性が付与されたレース地であって、伸縮性糸による特性を変化させることにより、部分的に伸縮性が変化せしめられてなるものが好ましい。これにより、この経編レース地をブラジャーのバック布（カップ部を含む場合もある）に使用することにより、該レース地単独で使用しても充分な締め付け力を確保できる。【００１４】
特に、前記経編レース地の両側縁の部分に、縁構成糸の一つとしてほつれ防止糸が編み込まれていると、前記両側縁が側方生地と切り離した状態のままで縁処理をしていなくても、ほつれが生じる虞がなく、そのままブラジャーのバック布に使用できることになる。
【発明の効果】
【００１５】
本発明のブラジャー用経編レース地によれば、側方生地との切り離し後の両側縁の処理を要さずに、そのまま単独でブラジャーのバック布に、あるいはカップ部とバック布とに使用でき、ブラジャー製作上の縫製加工に要する手数を軽減できるとともに、バック布による装飾効果を高めることができる。
【発明を実施するための最良の形態】
【００１６】
次に本発明の実施の形態を図面に示す実施例に基づいて説明する。【００１７】
図１は本発明の経編レース地の１実施例を示す概略平面図、図２は同上の経編レース地の製造状態の略示平面説明図、図３は同経編レース地の側縁部の形成状態の説明図、図４はブラジャーのバック布に使用した例を示す略示斜視図、図５Ａ〜図５Ｅは経編レース地の平面形状の変更例を示す略示図である。【００１８】
図１において、１は経編機により編成された本発明に係る経編レース地であり、基本的に、基布となる地編の組織を編成するいわゆる地筬とは別に、柄を編成するための複数枚（通常、数十枚にもなる）の柄筬を備える経編機、さらには、前記柄筬とは別に、ジャカード装置でガイドニードルの運動を制御することにより穴地、薄地、厚地等の組合せによるレース柄を形成する少なくとも１枚のジャカードガイド筬を備える経編機により編成される。【００１９】
図１〜図４の実施例の経編レース地１においては、柄糸（図示せず）が所定のパターンで編目形成しながら編成されるか、あるいは挿入編成されることにより、該経編レース地１の中にレース柄と共に該柄糸による比較的大きな柄部２が形成され、また両側縁３，４には湾曲形状や波状のスカラップ５が形成されている。前記両側縁３，４については、必ずしも前記のスカラップ５を側縁全長に渡って連続して形成しておく必要はなく、直線状の部分とともに部分的にスカラップを形成したり、あるいはスカラップを有さない側縁形状、例えば直線や大きなカーブの曲線形状とする場合もある。【００２０】
前記経編レース地１における両側縁３，４は、該レース地１と繋ぎ糸（図示せず）により繋がれて編成される側方生地、例えば耳部あるいは該経編レース地１と並列して同様に編成される他の経編レース地と切り離した状態において、縁処理をすることなく使用に供することができるように形成されている。その手段として、例えば、前記両側縁３，４において、縁用柄糸６ａ等よりなる縁構成糸６が、１ウエールもしくは複数ウエールの幅に渡って地組織に対し挿入編成されるか、あるいは編目形成しながら編成されて編み込まれることにより縁取り形成されている。さらに好ましくは、前記縁構成糸６の一つとして、前記縁用柄糸６ａ等とは別に、ほつれ防止糸６ｂが側縁に沿って編目形成しながら編み込まれて、前記のように側方生地と切り離した状態においても、ほつれが生じないように形成される。縁構成糸６としては、前記の糸に加えて、伸縮性糸（図示省略）が編成される場合もある。【００２１】
そして、本発明の経編レース地１においては、前記両側縁３，４における少なくとも一方、例えば図のように双方において、前記の縁用柄糸６ａやほつれ防止糸６ｂ等の縁構成糸６が、縁部形状に沿うように、例えばスカラップ５を形成する場合は該スカラップ５の形状に沿うように、１ウエールもしくは複数ウエールに渡り移行しながら、かつ、ブラジャーのバック布に応じた単位長さＬ１毎に、前記両側縁３，４が斜めになるように、前記単位長さＬ１の間で数十ウエールあるいはそれ以上の幅に渡って漸次横方向に移行して編み込まれることにより、該レース地１の編幅が編方向で変化せしめられており、これにより、前記単位長さＬ１の範囲における編方向の一端側の所要長さ領域が最大幅位置Ｐ１を含む幅広領域部分１１として、また前記範囲における他端側の所要長さ領域が最小幅位置Ｐ２を含む細幅領域部分１２として、主として前記単位長さＬ１内の平均幅の部分１３を介して連続して形成されている。前記平均幅の部分１３は、必ずしも長さ方向の中間にあるとは限らない。【００２２】
特に、前記のように編幅を変化させて幅広領域部分１１と細幅領域部分１２とを連続させる編成は、例えば次のように行われる。【００２３】
前記単位長さＬ１に応じて設定される編方向における柄や地編の１リピートの長さＬ０毎に、前記縁構成糸６の移行により編幅を変化させて、図２のように最大幅の部分から次第に幅を小さくし、次に前記とは逆に次第に幅を大きくする編成を繰り返して、前記幅広領域部分１１と細幅領域部分１２とを連続して繰り返し形成し、長尺のレース地１を編成する。そして、前記の編成後に、前記幅広領域部分１１の編方向の中間点、例えば最大幅位置Ｐ１と、前記細幅領域部分１２の編方向の中間点、例えば最小幅位置Ｐ２で前記単位長さＬ１毎に裁断することにより、それぞれ分割された前記幅広領域部分１１が一端側に、分割された細幅領域部分１２が他端側に有し、且つ前記単位長さＬ１を有する２枚のレース地部分が得られる。このため、前記柄や地編の１リピートの長さＬ０の１／２の長さが、前記１枚のブラジャーＢのバック布２０に応じた前記単位長さＬ１になるように、前記１リピートの長さＬ０が設定されている。【００２４】
こうして得られた各単位長さＬ１のレース地部分は、前記幅広領域部分１１がそれぞれブラジャーＢの左右一方のバック布２０における脇部２１として、また前記細幅領域部分１２が前記脇部１１から連続する背部２２として形成される。すなわち、前記両側縁３，４が前記バック布２０における上下縁２３，２４をなすように、少なくとも一方の側縁、例えば図のように両側縁３，４の所要部分が全体として直線及び／又は曲線により傾斜しており、１リピートの長さＬ０の１／２を単位長さＬ１とするレース地部分が、前記バック布２０に対応する形状をなすように形成されている。【００２５】
なお、前記バック布に応じた単位長さＬ１を柄や地編の略１リピートに相当する長さにして、１リピートの編始め側と編終わり側との一方が幅広領域部分１１、他方が細幅領域部分１２となるように交互に連続して編成することもできる。特に、前記単位長さＬ１である１リピートの編始め側を最小幅位置Ｐ２、編終わり側を最大幅位置Ｐ１として、傾斜させて編成することにより、側方生地と切り離された前記側縁３，４の部分からのほつれがレース地の内方に及ぶのを防止できることにもなる。【００２６】
前記の経編レース地１における前記幅広領域部分１１と前記細幅領域部分１２の幅については、前記最大幅位置Ｐ１の幅、すなわち最大幅（Ｗ１）と、最小幅位置Ｐ２の幅、すなわち最小幅（Ｗ２）との比（Ｗ１／Ｗ２）が、１．５〜１０、好ましくは２〜６になるように設定される。また、前記細幅領域部分１２の最小幅（Ｗ２）については、ブラジャーＢのバック布２０での使用においては、背部２２となる該細幅領域部分１２にホック等の係止具が取着されることもあることから、使用上の強度や体裁等を考慮して、通常２０ｍｍ以上、１００ｍｍ以内に設定しておくのが好適である。【００２７】
すなわち、前記最大幅（Ｗ１）と最小幅（Ｗ２）との比（Ｗ１／Ｗ２）が１．５より小さいと、前記最小幅（Ｗ２）を前記の好適な範囲の幅にした場合に、前記脇部２１に使用される前記幅広領域部分１１においては、カップ部と接続あるいは連続形成するのに必要な幅を確保できなくなるとか、不体裁になり、好ましいものではない。また、前記比（Ｗ１／Ｗ２）が１０より大きいと、前記（Ｗ２）を前記の好適な範囲の幅にした場合に、前記幅広領域部分１１の幅が過度に大きくなり、不体裁になる。体裁や実用上の点からは、前記比（Ｗ１／Ｗ２）が２〜６の範囲のものがより好適である。いずれにしても、前記の最大幅位置Ｐ１及び最小幅位置Ｐ２は、それぞれ前記幅広領域部分１１及び細幅領域部分１２の端部に存するものとは限らない。【００２８】
前記両側縁３，４の少なくとも一方の傾斜状態、つまりは幅の変化状態や、前記最大幅位置Ｐ１と最小幅位置Ｐ２との間の平面形状については、使用対応に応じた種々の実施が可能である。例えば、図１〜図４のように前記両側縁３，４がスカラップ５を形成しながら全体として僅かに湾曲して傾斜し、前記最大幅位置Ｐ１と最小幅位置Ｐ２との間が前記最大幅位置Ｐ１のラインを底辺とする経長の平面略台形状をなすもののほか、図５Ａのように一方の側縁３を編方向に略直状にして他方の側縁４のみを傾斜させたもの、図５Ｂのように両側縁３，４を共に湾曲状に傾斜させたもの、図５Ｃのように一方の側縁３を略直状、他方の側縁４を湾曲状に傾斜させたもの、図５Ｄのように両側縁３，４の湾曲状態を変化させたもの、さらには、図５Ｅのように両側縁３，４ともに編方向に略直状の部分を設けたもの等、種々の実施が可能である。【００２９】
前記いずれの場合も、前記両側縁３，４におけるスカラップ５等の細かな凹凸形状を考慮しない外形について説明するものであり、図５Ａ〜図５Ｅの各図において、両側縁３，４には必要に応じてスカラップ５等の波形や凹凸形状が形成される場合も含んでいる。また、前記幅広領域部分１１に部分的に幅のやや狭い部分を形成したり、前記細幅領域部分１２に部分的に幅のやや大きい部分を形成する場合もある。【００３０】
なお、前記両側縁３，４を構成する前記縁用柄糸６ａやほつれ防止糸６ｂ等の縁構成糸６については、側縁の全長に渡って、すなわち最大幅位置Ｐ１から最小幅位置Ｐ２まで含む全長に渡って同じ糸を筬の切り替えなしで連続して編目形成しながら編成あるいは挿入編成する場合のほか、前記側縁の傾斜形状に対応する移行の途中で別の筬の同種の糸に切り替えて編成することも可能であるが、実施上は前記のようにして別筬の糸への切り替えなしで編成しておくのが好ましい。【００３１】
すなわち、前記レース地の側縁を形成する縁構成糸が、側縁全長に渡って同じ糸が連続して編目形成しながら編成あるいは挿入編成されてなるものの場合、前記側縁において糸の切り替え部分を有さないことになり、従来のように切り替えのための余分な糸を側縁に編み込んで保持しておく必要がない上、側縁形状の外観的体裁も良好なものになる。また、装飾用の柄筬を前記の切り替えに利用する必要がないため、糸の切り替えを行う場合に比して、柄構成に使用できる柄筬数が多くなり、より装飾性の高い柄を形成できることになる。【００３２】
さらに、前記経編レース地１は、非伸縮性糸のみを使用して編成する場合のほか、必要に応じて、地編の基本組織に対し、ポリウレタン繊維糸等の伸縮性糸（図示省略）が、レース地全体に配されて、編目形成しないで地編組織に挿入されて編成されるか、あるいは編目形成しながら編成されることにより、編地全体として少なくとも経方向（編方向）に伸縮性が付与される。【００３３】
この場合において、地編の基本組織に配される伸縮性糸について、本数や太さあるいは種類等による特性の変化により、部分的に伸縮性が変化せしめられてなるものとすることができる。例えば、前記バック布２０としての使用において上下縁２３，２４になる前記両側縁３，４から内方側に所要幅の部分（図１等の一点鎖線までの部分）において、前記伸縮性糸の特性の変化により、内方部９よりも伸縮性（伸縮パワー）を大きく設定することができる。これにより、バック布２０としての使用における締め付け力を確保できることになる。図中の７，８は前記側縁３，４から一点鎖線までの間の伸縮性の変化部分を示す。前記伸縮性（伸縮パワー）を大きく変化させる部分については、前記のように両側縁３，４に沿って設けるほか、前記両側縁３，４の一方側にのみ設けることも、また前記内方部９に設けることもでき、その幅は任意に設定できる。【００３４】
前記の伸縮性を変化させる手段としては、前記伸縮性糸自体の太さや種類を部分的に変化させることも、また地編全体に配される前記伸縮性糸とは別の筬により配する伸縮性糸を部分的に追加して編成することもできる。【００３５】
前記の経編レース地１は、前記幅広領域の部分１１と細幅領域の部分１２とを有する１リピートの長さの１／２、あるいは１リピートの長さを、バック布２０に対応する１単位長さにして、幅の変化を繰り返して長尺に編成しておく。この際、編機幅方向に複数列把繋いで同時に編成する。そして、編成後に、各列毎に分離すると共に、前記１単位長、特にはブラジャーＢのサイズに応じたバック布２０に相当する所定の長さに裁断して使用することとし、図４のように、幅広領域部分１１側の端部を、これとは別に形成されたカップ部２５に縫製手段により接続し、また細幅領域部分１２側の端部にホック等の連結部材（図示せず）を取着して使用する。【００３６】
図６はカップ部に相当する部分を含む他の実施例の経編レース地を示す略示平面図、図７は同経編レース地の使用例を示す略示斜視図である。【００３７】
この実施例の経編レース地１においては、前記幅広領域部分１１が、ブラジャーＢのバック布２０における脇部２１と共に、これに連続するカップ部２５に相当する部分１５を形成するように編成した場合を示し、前記カップ部に相当する部分１５の略中央が最大幅位置Ｐ１とされている。この実施例においても、バック布２０に相当する部分１０については、上記した実施例と同様に構成される。同構成部分については同符号を付している。【００３８】
そして、前記幅広領域部分１１のうちの前記カップ部２５に相当する部分１５については、バック布２０に相当する部分１０から連続する両側縁３，４を構成する前記縁用柄糸６ａやほつれ防止糸６ｂ等の縁構成糸６の移行により、カップ部２５の形状に対応するように編幅が変化せしめられて編成されている。また、上記した実施例と同様に、必要に応じて伸縮性糸が編み込まれて、編地全体に伸縮性が付与され、さらにはカップ下部あるいは上縁部等の部分的に大きい伸縮性（パワー）を保持するように編成されている。【００３９】
前記の経編レース地１においても、上記した実施例と同様に、前記幅広領域の部分１１と細幅領域の部分１２とを有するバック布２０とカップ部に対応する１単位の長さを繰り返して長尺に編成しておき、編成後に、１単位長に裁断する。そして、図７のように、前記幅広領域部分１１のうちのカップ部２５に相当する部分１５の内側にパッド等を取着して使用する。
【産業上の利用可能性】
【００４０】
本発明の経編レース地は、ブラジャーのバック布、あるいはカップ部と一体のバック布に好適に利用できる。
【図面の簡単な説明】
【００４１】
【図１】本発明の経編レース地の１実施例を示す概略平面図である。
【図２】同上の経編レース地の製造状態の略示平面説明図である。
【図３】同経編レース地の側縁部の形成状態の説明図である。
【図４】ブラジャーのバック布に使用した例を示す略示斜視図である。
【図５Ａ】経編レース地の平面形状の変更例を示す略示図である。
【図５Ｂ】経編レース地の平面形状の変更例を示す略示図である。
【図５Ｃ】経編レース地の平面形状の変更例を示す略示図である。
【図５Ｄ】経編レース地の平面形状の変更例を示す略示図である。
【図５Ｅ】経編レース地の平面形状の変更例を示す略示図である。
【図６】カップ部に相当する部分を含む他の実施例の経編レース地を示す略示平面図である。
【図７】同経編レース地の使用例を示す略示斜視図である。
【符号の説明】
【００４２】
Ｂ…ブラジャー、Ｐ１…最大幅位置、Ｐ２…最小幅位置、Ｗ１…最大幅、Ｗ２…最小幅、１…経編レース地、２…柄部、３，４…側縁、５…スカラップ、６…縁構成糸、６ａ…縁用柄糸、６ｂ…ほつれ防止糸、７，８…伸縮性の変化部分、９…内方部、１０…バック布に相当する部分、１１…幅広領域部分、１２…細幅領域部分、１３…平均幅の部分、１５…カップ部に相当する部分、２０…バック布、２１…脇部、２２…背部、２３，２４…上下縁、２５…カップ部。
【図１】
2007122673.tif 000003
【図２】
2007122673.tif 000004
【図３】
2007122673.tif 000005
【図４】
2007122673.tif 000006
【図５Ａ】
2007122673.tif 000007
【図５Ｂ】
2007122673.tif 000008
【図５Ｃ】
2007122673.tif 000009
【図５Ｄ】
2007122673.tif 000010
【図５Ｅ】
2007122673.tif 000011
【図６】
2007122673.tif 000012
【図７】
2007122673.tif 000013
【国際調査報告】
2007122673.tif 000014
2007122673.tif 000015
2007122673.tif 000016
2007122673.tif 000017